(57)【要約】【課題】加熱調理器の内部に液状異物が流れ込みにくい加熱調理器を提供する。【解決手段】前後延在部１７ｂは、本体部２１の前方に配置され、前後方向に延在する。操作パネル１は、前後延在部１７ｂの前方に配置されている。操作パネル１は、パネル本体１ａと、庇部１ｂとを有している。パネル本体１ａは、上端１Ｕと下端１Ｌとを有し、かつ下端１Ｌが上端１Ｕよりも前方に位置した傾斜姿勢を取ることができるように構成されている。庇部１ｂは、パネル本体１ａから本体部２１に向かって突き出している。傾斜姿勢において庇部１ｂは前後延在部１７ｂの上方に位置し、かつ前後延在部１７ｂの前端よりも本体部２１側まで延びている。【選択図】図６
2020180738.tif 000002
【特許請求の範囲】
【請求項１】
被加熱物を加熱する加熱部と、
上部を有し、前記上部に前記加熱部が配置された本体部と、
前記本体部の前方に配置され、前後方向に延在する前後延在部と、
前記前後延在部の前方に配置された操作パネルと、を備え、
前記操作パネルは、
上端と下端とを有し、かつ前記下端が前記上端よりも前方に位置した傾斜姿勢を取ることができるように構成されたパネル本体と、
前記パネル本体から前記本体部に向かって突き出した庇部とを有し、
前記傾斜姿勢において前記庇部は前記前後延在部の上方に位置し、かつ前記前後延在部の前端よりも前記本体部側まで延びている、加熱調理器。
【請求項２】
前記前後延在部の前記前端から上方へ延びる上方突出部をさらに備え、
前記傾斜姿勢において前記庇部は、前記上方突出部の上方を覆っている、請求項１に記載の加熱調理器。
【請求項３】
前記前後延在部の上面に凹部が設けられている、請求項１または請求項２に記載の加熱調理器。
【請求項４】
前記凹部は前記本体部の側端に向かって下るように傾斜している、請求項３に記載の加熱調理器。
【請求項５】
前記本体部は、前記操作パネルの横に配置されたグリル加熱部を有し、
前記凹部は前記グリル加熱部から遠ざかるほどに下るように傾斜している、請求項３または請求項４に記載の加熱調理器。
【請求項６】
前記操作パネルは、前記傾斜姿勢よりも前記パネル本体の傾斜角度が大きい起立姿勢に前記傾斜姿勢から移動できるように構成されている、請求項１から請求項５のいずれか１項に記載の加熱調理器。
【発明の詳細な説明】
【技術分野】
【０００１】
本発明は、加熱調理器に関するものである。
【背景技術】
【０００２】
従来、加熱手段を操作する操作部材を前面パネルの開口部を介して操作可能にする加熱調理器が知られている。このような加熱調理器は、たとえば特開２０１６−１１８３３７号公報（特許文献１）に開示されている。
【０００３】
特許文献１に記載の加熱調理器は、前面パネルの内面と対向する内装部材を有している。この内装部材と前面パネルとの間に、上記開口部から液状異物が侵入する。そこで上記加熱調理器においては、液状異物を前面パネルの内面に沿って流動させる異物流動路が設けられている。
【先行技術文献】
【特許文献】
【０００４】
【特許文献１】特開２０１６−１１８３３７号公報
【発明の概要】
【発明が解決しようとする課題】
【０００５】
しかしながら特許文献１に記載の加熱調理器の構成では、前面パネルの内側、つまり加熱調理器の本体部の内側に液状異物が流れ込む。
【０００６】
本発明は、上記の課題に鑑みてなされたものであり、その目的は、加熱調理器の内部に液状異物が流れ込みにくい加熱調理器を提供することである。
【課題を解決するための手段】
【０００７】
本発明の加熱調理器は、加熱部と、本体部と、前後延在部と、操作パネルとを備えている。加熱部は、被加熱物を加熱する。本体部は、上部を有し、上部に加熱部が配置されている。前後延在部は、本体部の前方に配置され、前後方向に延在する。操作パネルは、前後延在部の前方に配置されている。操作パネルは、パネル本体と、庇部とを有している。パネル本体は、上端と下端とを有し、かつ下端が上端よりも前方に位置した傾斜姿勢を取ることができるように構成されている。庇部は、パネル本体から本体部に向かって突き出している。傾斜姿勢において庇部は前後延在部の上方に位置し、かつ前後延在部の前端よりも本体部側まで延びている。
【０００８】
本発明の加熱調理器によれば、傾斜姿勢において庇部は前後延在部の上方に位置し、かつ前後延在部の前端よりも本体部側まで延びている。このため、加熱調理器における調理中に生じた液状異物が庇部に遮られることによって操作パネルと前後延在部の前端との間に流れ込むことが防止される。これにより加熱調理器の内部に液状異物が流れ込みにくくなる。
【０００９】
上記加熱調理器は、前後延在部の前端から上方へ延びる上方突出部をさらに備えている。傾斜姿勢において庇部は、上方突出部の上方を覆っている。これにより液状異物は上方突出部よりも後方の前後延在部上に流れ落ちやすくなる。前後延在部上に流れ落ちた液状異物は上方突出部に阻まれることにより前後延在部の前端と操作パネルとの間に流れ込むことが阻害される。
【００１０】
上記加熱調理器において、前後延在部の上面に凹部が設けられている。これにより前後延在部上に流れ落ちた液状異物が凹部内に入ることにより前後延在部の前端と操作パネルとの間に流れ込むことが阻害される。
【００１１】
上記加熱調理器において、凹部は本体部の側端に向かって下るように傾斜している。これにより凹部に入った液状異物は、凹部に沿って本体部の側端に導かれて、側端から排出されやすくなる。
【００１２】
上記加熱調理器において、本体部は、操作パネルの横に配置されたグリル加熱部を有している。凹部はグリル加熱部から遠ざかるほどに下るように傾斜している。これにより凹部に入った液状異物はグリル加熱部とは反対側に導かれるため、液状異物がグリル加熱部を汚すことが抑制される。
【００１３】
上記加熱調理器において、操作パネルは、傾斜姿勢よりもパネル本体の傾斜角度が大きい起立姿勢に傾斜姿勢から移動することができるように構成されている。これにより操作パネルは傾斜姿勢と起立姿勢との間で移動することができ、傾斜姿勢においてはユーザが操作パネルを視認、操作しやすく、起立姿勢においては加熱調理器がコンパクトな状態となる。
【発明の効果】
【００１４】
以上説明したように本発明によれば、内部に液状異物が流れ込みにくい加熱調理器を実現することができる。
【図面の簡単な説明】
【００１５】
【図１】本発明の一実施の形態における加熱調理器の操作パネルが起立姿勢にある状態を示す斜視図である。
【図２】本発明の一実施の形態における加熱調理器の操作パネルが傾斜姿勢にある状態を示す斜視図である。
【図３】図１の加熱調理器に用いられる操作パネル駆動ユニットの構成を示す分解斜視図である。
【図４】図３の操作パネル駆動ユニットに用いられるＬ字パネルの構成を示す斜視図である。
【図５】図３に示す操作パネル駆動ユニットの操作パネルが起立姿勢にある状態を示す側面図である。
【図６】図３に示す操作パネル駆動ユニットの操作パネルが傾斜姿勢にある状態を示す側面図である。
【図７】Ｌ字パネルの変形例の構成を示す図である。
【図８】Ｌ字パネルに設けられる凹部が傾斜していることを示す図である。
【図９】図８に示すＬ字パネルの構成を示す斜視図である。
【発明を実施するための形態】
【００１６】
以下、本開示の実施の形態について、図に基づいて説明する。
なお、明細書および図面において、同一の構成要素または対応する構成要素には、同一の符号を付し、重複する説明を繰り返さない。また図面では、説明の便宜上、構成を省略または簡略化している場合もある。また実施の形態と各変形例との少なくとも一部は、互いに任意に組み合わされてもよい。
【００１７】
＜加熱調理器３０の構成＞
本実施の形態の加熱調理器の構成について図１および図２を用いて説明する。
【００１８】
図１に示されるように、本実施の形態の加熱調理器３０は、たとえばガスこんろである。加熱調理器３０は、本体部２１と、複数の加熱部２２と、複数の操作パネル駆動ユニットＯＵとを主に有している。
【００１９】
本体部２１は、ほぼ平坦な上面２１Ｔ（上部）を有している。本体部２１の上面２１Ｔには、複数の加熱部２２が配置されている。複数の加熱部２２の各々は、被加熱物を加熱するためのものである。
【００２０】
複数の加熱部２２の各々には、たとえばブンゼン式のガスバーナが採用されている。ただし複数の加熱部２２の各々は、ブンゼン式以外のガスバーナであってもよい。複数の加熱部２２は、たとえば３つの加熱部を有している。
【００２１】
本体部２１は、前面２１Ｆを有している。前面２１Ｆは、加熱調理器３０を使用するユーザーから見て本体部２１の手前側の面である。グリル加熱部２１Ｇが本体部２１に設けられている。グリル加熱部２１Ｇの取り入れ・取り出し口は、本体部２１の前面２１Ｆに配置されている。
【００２２】
複数の操作パネル駆動ユニットＯＵは、たとえば２つの操作パネル駆動ユニットＯＵを有している。２つの操作パネル駆動ユニットＯＵの双方は、本体部２１の前面２１Ｆに配置されている。２つの操作パネル駆動ユニットＯＵは、グリル加熱部２１Ｇを挟み込むようにグリル加熱部２１Ｇの横に配置されている。
【００２３】
２つの操作パネル駆動ユニットＯＵの一方は、グリル加熱部２１Ｇの一方側端側（加熱調理器３０を使用するユーザーから見て右側）に配置されている。また２つの操作パネル駆動ユニットＯＵの他方は、グリル加熱部２１Ｇの他方側端側（加熱調理器３０を使用するユーザーから見て左側）に配置されている。
【００２４】
複数の操作パネル駆動ユニットＯＵの各々は、操作パネル１を有している。操作パネル１は、操作部を有している。操作パネル１の操作部は、たとえばメンブレンスイッチと液晶表示素子とを有している。また操作パネル１の操作部は、たとえばタッチパネルディスプレイであってもよい。また操作パネル１の操作部は、たとえばメンブレンスイッチ、液晶表示素子およびタッチパネルディスプレイの組み合わせであってもよい。
【００２５】
操作パネル１がタッチパネルディスプレイを有する場合、そのタッチパネルディスプレイは静電容量方式、抵抗膜方式、表面弾性波方式、赤外線方式、電磁誘導方式などのいずれの方式であってもよい。
【００２６】
操作パネル１の操作部は、たとえば加熱部制御スイッチ、グリル制御スイッチ、電源スイッチなどを有している。また操作パネル１の操作部は、加熱調理器３０の上方に配置されたレンジフードのファン（図示せず）を制御するためのファン制御スイッチを有していてもよい。
【００２７】
加熱部制御スイッチは、加熱部２２の点火（加熱部２２の駆動開始）、消火（加熱部２２の駆動停止）、火力調整などを操作可能である。グリル制御スイッチは、グリル加熱部２１Ｇの点火（グリル加熱部２１Ｇの駆動開始）、消火（グリル加熱部２１Ｇの駆動停止）、火力調整などを操作可能である。
【００２８】
また電源スイッチは、本体部２１の電源をオンまたはオフに操作可能である。またファン制御スイッチは、ファンのオンまたはオフを操作可能であり、またファンの回転速度を制御可能である。
【００２９】
操作パネル１は、本体部２１の前面２１Ｆに取り付けられている。操作パネル１は、本体部２１に対して移動するように構成されている。操作パネル１は、本体部２１に対して移動することにより、図１に示す起立姿勢と、図２に示す傾斜姿勢とを取り得る。
【００３０】
操作パネル１が図１に示す起立姿勢にある状態では、操作パネル１の上端１Ｕと下端１Ｌとは上下方向に沿って位置している。具体的には加熱調理器３０が水平な面上に載置された状態において、起立姿勢にある操作パネル１の上端１Ｕは下端１Ｌの鉛直方向真上に位置している。
【００３１】
操作パネル１が図２に示す傾斜姿勢にある状態では、操作パネル１の下端１Ｌが、起立姿勢にある操作パネル１の下端１Ｌよりも前方（加熱調理器３０を使用するユーザーから見て手前側）に移動している。
【００３２】
この傾斜姿勢において操作パネル１の下端１Ｌは上端１Ｕよりも前方側に位置している。具体的には加熱調理器３０が水平な面上に載置された状態において、傾斜姿勢にある操作パネル１は、後方側の上端１Ｕから前方側の下端１Ｌに向かって下り勾配を有している。
【００３３】
また傾斜姿勢における操作パネル１の上端１Ｕは、起立姿勢における操作パネル１の上端１Ｕの位置よりも下方に位置している。上記起立姿勢における操作パネル１の傾斜角度θ１は、傾斜姿勢における傾斜角度θ２よりも大きい。ここで傾斜角度θ１、θ２の各々は、加熱調理器３０が水平な面上に載置された状態において、水平線と操作パネル１の前面とのなす角度である。
【００３４】
上記加熱調理器３０は、外部装置と無線または有線で通信可能な通信部を有していてもよい。加熱調理器３０は、この通信部によりインターネットまたはイントラネットに接続可能である。この通信部は、操作パネル１に表示する情報を外部装置から入手してもよい。
【００３５】
上記通信部と外部装置との通信は、たとえばＢＬＵＥＴＯＯＴＨ（登録商標）、Ｗｉ−Ｆｉ（登録商標）、Ｗｉ−ＳＵＮ（登録商標）、特定小電力無線、ＨＥＭＳ（Home  Energy  Management  System）上での接続などのいずれかの方法で行われてもよい。
【００３６】
＜操作パネル駆動ユニットＯＵの構成＞
次に、上記加熱調理器３０に用いられる操作パネル駆動ユニットＯＵの構成について図３および図４を用いて説明する。
【００３７】
図３に示されるように、操作パネル駆動ユニットＯＵは、上記操作パネル１と、支持部材２と、支持構造体とを有している。操作パネル１は、パネル本体１ａと、庇部１ｂとを有している。パネル本体１ａは、矩形形状を有している。パネル本体１ａは、上記のように上端１Ｕと下端１Ｌとを有し、かつ下端１Ｌが上端１Ｕよりも前方に位置した傾斜姿勢を取ることができるように構成されている。
【００３８】
またパネル本体１ａは、上記のメンブレンスイッチ、液晶表示素子、タッチパネルディスプレイなどの操作部を有している。パネル本体１ａの後面には、メンブレンスイッチ、液晶表示素子、タッチパネルディスプレイなどの操作部に電気的に接続された電気回路、配線など（図示せず）が配置されている。
【００３９】
庇部１ｂは、パネル本体１ａから本体部２１に向かって突き出している。庇部１ｂは、パネル本体１ａの上端１Ｕから後方へ延びている。庇部１ｂは、パネル本体１ａの横幅全体に位置している。庇部１ｂがパネル本体１ａの後面から後方へ延びる突き出し長さは、パネル本体１ａの横幅全体においてたとえば一定である。
【００４０】
支持部材２は、操作パネル１の後面に取り付けられている。支持部材２は、左右１対の上部支持体２ａと、左右１対の下部支持体２ｂと、取り付け部２ｃとを有している。
【００４１】
左右１対の上部支持体２ａ、左右１対の下部支持体２ｂおよび取り付け部２ｃは、たとえば１枚の板を折り曲げることにより構成されており、一体的に構成されている。このため左右１対の上部支持体２ａおよび左右１対の下部支持体２ｂの各々は取り付け部２ｃに接続されている。
【００４２】
取り付け部２ｃは、たとえば平板形状を有しており、操作パネル１の後面にボルトなどの締結部材により固定されている。左右１対の上部支持体２ａおよび左右１対の下部支持体２ｂの各々は、操作パネル１の後面から後方に延びている。左右１対の下部支持体２ｂは、左右１対の上部支持体２ａの下方に位置している。
【００４３】
支持構造体は、左右１対の上部支持体２ａを少なくとも上下方向にスライド可能に支持し、かつ左右１対の下部支持体２ｂを少なくとも前後方向にスライド可能に支持している。また支持構造体は、左右１対の上部支持体２ａおよび左右１対の下部支持体２ｂの各々を支持構造体に対して回転可能に支持している。
【００４４】
支持構造体は、軸３、４と、軸支持部５と、スライド部材６と、左右１対の支持板１１と、レール１２とを有している。
【００４５】
左右１対の支持板１１の各々は、ガイド穴１１ａを有している。ガイド穴１１ａは支持板１１を貫通している。右側の支持板１１のガイド穴１１ａと左側の支持板１１のガイド穴１１ａとは互いに同じ形状を有している。
【００４６】
ガイド穴１１ａは、第１ガイド穴部１１ａａと、第２ガイド穴部１１ａｂとを有している。第１ガイド穴部１１ａａは、上下方向に沿って延びている。第２ガイド穴部１１ａｂは、第１ガイド穴部１１ａａの下部に接続され、かつ下方に向かうにしたがって前方に位置するように傾斜している。
【００４７】
軸３は、右側の支持板１１のガイド穴１１ａと左側の支持板１１のガイド穴１１ａとの双方に挿通されている。軸３は、左右１対の支持板１１の各々におけるガイド穴１１ａに沿ってスライド可能である。
【００４８】
軸３は、左右１対の上部支持体２ａの双方に取り付けられている。これにより左右１対の上部支持体２ａは、支持板１１に対してガイド穴１１ａの延在方向に沿ってスライド可能であり、かつ支持板１１に対して軸３を中心に回転可能である。
【００４９】
またレール１２には、スライド部材６がスライド可能に係合している。スライド部材６は、レール１２の長手方向に沿ってスライド移動可能である。レール１２の長手方向は、後方から前方に向かって下り勾配となるように傾斜している。このためスライド部材６は、レール１２の長手方向に沿って後方から前方へスライド移動するにしたがって上方から下方へ移動する。
【００５０】
スライド部材６の前端には、軸支持部５が取り付けられている。軸支持部５は軸４を介在して下部支持体２ｂに取り付けられている。これにより軸支持部５およびスライド部材６の各々は、下部支持体２ｂに対して軸４を中心に回転可能である。
【００５１】
これにより左右１対の下部支持体２ｂは、レール１２の延在方向に沿ってスライド可能であり、かつ軸支持部５およびスライド部材６に対して軸４を中心に回転可能である。
【００５２】
上記のように支持構造体が操作パネル１をスライドおよび回転可能に支持しているため、操作パネル１は起立姿勢と傾斜姿勢との間で移動可能である。
【００５３】
また操作パネル駆動ユニットＯＵは、ラックギア７と、爪部８と、ロータリーダンパ１３と、爪係合部１４と、スイッチ１５と、付勢部材１６（図５参照）と、Ｌ字パネル１７とをさらに有している。
【００５４】
爪部８は、操作パネル１の後面側に取り付けられている。爪係合部１４は、この爪部８に係合可能である。操作パネル１が起立姿勢（図５）にある状態では、爪部８が爪係合部１４に係合している。
【００５５】
爪部８が爪係合部１４に係合した状態では、爪係合部１４は爪部８を係合した状態を維持するように構成されている。また爪係合部１４は、爪部８が爪係合部１４に係合した状態から爪係合部１４側へさらに押し込まれると爪部８との係合を解除するように構成されている。
【００５６】
付勢部材１６（図５参照）は、上部支持体２ａを下方に向けて付勢している。付勢部材１６は、たとえばバネである。付勢部材１６の上端はたとえば上部支持体２ａまたは軸３に取り付けられている。また付勢部材１６の下端は、たとえば支持板１１に固定された部材に取り付けられている。
【００５７】
ラックギア７は、スライド部材６のたとえば上面に取り付けられている。このラックギア７に噛み合うようにロータリーダンパ１３が設けられている。ロータリーダンパ１３は、ラックギア７のスライド運動にブレーキをかけ、ラックギア７およびスライド部材６のスライド移動を減速させるように構成されている。
【００５８】
スイッチ１５は、たとえば操作パネル１における操作表示のオン・オフを切り換えるスイッチである。スイッチ１５は、本体部１５ａと、操作部１５ｂとを有している。操作部１５ｂは、本体部１５ａから突き出している。
【００５９】
操作部１５ｂは、操作パネル１が傾斜姿勢（図６）にあるときに、上部支持体２ａにより本体部１５ａ内に押し込まれるよう構成されている。また操作部１５ｂは、操作パネル１が起立姿勢（図５）にあるときに、上部支持体２ａから離れ、本体部１５ａ内への押し込みが解除されるよう構成されている。
【００６０】
操作部１５ｂが本体部１５ａ内に押し込まれることにより、操作パネル１における操作表示がオフ状態からオン状態へ切り替わるようにスイッチ１５は構成されている。また操作部１５ｂの本体部１５ａ内への押し込みが解除されることにより、操作パネル１における操作表示がオン状態からオフ状態へ切り替わるようにスイッチ１５は構成されている。
【００６１】
図４に示されるように、Ｌ字パネル１７は、略Ｌ字の断面形状を有している。Ｌ字パネル１７は、上下延在部１７ａと、前後延在部１７ｂと、上方突出部１７ｃとを有している。上下延在部１７ａ、前後延在部１７ｂおよび上方突出部１７ｃの各々は、本体部２１（図１、図２）の前方に配置されている。上下延在部１７ａ、前後延在部１７ｂおよび上方突出部１７ｃの各々の前方に操作パネル１が配置されている。
【００６２】
上下延在部１７ａは上下方向に沿って延びている。前後延在部１７ｂは上下延在部１７ａの下端に接続されており、上下延在部１７ａの下端から前方に延びている。前後延在部１７ｂは前後方向に沿って延びている。前後延在部１７ｂは上下延在部１７ａに対して交差する方向（たとえば直交方向）に延びている。
【００６３】
上方突出部１７ｃは、前後延在部１７ｂの前端から上方へ延びている。上方突出部１７ｃは、前後延在部１７ｂに対して交差する方向（たとえば直交方向）に延びている。上方突出部１７ｃは、上下延在部１７ａの延在方向に沿う方向（たとえば平行方向）に延びている。
【００６４】
上方突出部１７ｃは、上下延在部１７ａと隙間１７ｄ（第１隙間）を空けて対向している。上方突出部１７ｃと上下延在部１７ａとの間の隙間１７ｄは、前後延在部１７ｂの上面に設けられた凹部とみることもできる。
【００６５】
前後延在部１７ｂおよび上方突出部１７ｃの各々は、上下延在部１７ａの横幅全体に位置している。上方突出部１７ｃの前後延在部１７ｂからの上方への立ち上がり高さは、上下延在部１７ａの横幅全体においてたとえば一定である。つまり前後延在部１７ｂの上面に設けられた隙間１７ｄ（凹部）の深さは、上下延在部１７ａの横幅全体においてたとえば一定である。
【００６６】
なお操作パネル１の後面側には、側板９が取り付けられている。側板９は、操作パネル１の側端に位置している。側板９は、操作パネル１の起立姿勢および傾斜姿勢との間の移動により他の部材と干渉しないように位置決めされ，かつ形状を決定されている。
【００６７】
＜操作パネル駆動ユニットＯＵの動作＞
次に、上記加熱調理器３０に用いられる操作パネル駆動ユニットＯＵの動作について図５および図６を用いて説明する。
【００６８】
図５に示されるように、操作パネル１が起立姿勢にある状態では、操作パネル１の上端１Ｕは操作パネル１の下端１Ｌの真上に位置している。また爪部８が爪係合部１４に係合している。このため外部から力が作用しなければ、爪係合部１４が爪部８を係合した状態が維持され、操作パネル１が起立姿勢に維持されている。
【００６９】
上部支持体２ａとスイッチ１５の操作部１５ｂとは離れている。このため操作パネル１における操作表示はオフ状態である。付勢部材１６は上部支持体２ａを下方に付勢している。
【００７０】
操作パネル１が起立姿勢にある状態では、Ｌ字パネル１７の前方は操作パネル１により覆われている。このため図１に示されるように、操作パネル１が起立姿勢にあるときには、加熱調理器３０の外部からＬ字パネル１７を視認することはできない。これにより操作パネル１が起立姿勢にあるときには、加熱調理器３０はシンプルな外観を呈する。
【００７１】
操作パネル１が起立姿勢にある状態では、操作パネル１のパネル本体１ａとＬ字パネル１７の上下延在部１７ａとは略平行に並んでいる。この起立姿勢において、操作パネル１の庇部１ｂは、Ｌ字パネル１７の上方突出部１７ｃの真上に位置していてもよい。
【００７２】
この起立姿勢から操作パネル１の下端部が前方から後方へ向かって押し込まれる。これにより爪部８が爪係合部１４に係合した状態から爪係合部１４側へさらに押し込まれ、爪部８と爪係合部１４との係合が解除される。
【００７３】
爪部８と爪係合部１４との係合が解除されると、付勢部材１６の付勢力により上部支持体２ａが下方に移動し、下部支持体２ｂが前方に移動する。このとき軸３は支持板１１のガイド穴１１ａに沿って下方へ移動し、かつスライド部材６がレール１２に沿って前方へ移動する。
【００７４】
図６に示されるように、上記のように上部支持体２ａがガイド穴１１ａに沿って下方へ移動し、かつ下部支持体２ｂがレール１２に沿って前方へ移動することにより操作パネル１が傾斜姿勢へ移行する。
【００７５】
起立姿勢から傾斜姿勢への移行時には、スライド部材６のスライドに伴ってラックギア７もスライドする。このラックギア７にはロータリーダンパ１３（図３）が噛み合っている。このロータリーダンパ１３は、ラックギア７とかみ合うことにより、ラックギア７のスライド運動にブレーキをかけ、ラックギア７およびスライド部材６のスライド移動を減速させる。これにより操作パネル１は緩やかに起立姿勢から傾斜姿勢へ移行する。
【００７６】
傾斜姿勢では、上部支持体２ａはスイッチ１５の操作部１５ｂに当接し、操作部１５ｂを本体部１５ｂ内へ押し込む。これにより操作パネル１における操作表示がオフ状態からオン状態へ切り替わる。
【００７７】
操作パネル１における操作表示がオンになると、操作表示が点灯し、操作を受け付ける状態となる。この状態でユーザーが操作表示を操作することで加熱調理器３０またはレンジフードのファンの操作が可能となる。
【００７８】
操作パネル１が傾斜姿勢にある状態では、Ｌ字パネル１７の前方は操作パネル１により覆われておらず開放されている。このためＬ字パネル１７の上下延在部１７ａの前面は操作パネル１により覆われておらず開放されている。
【００７９】
この傾斜姿勢において、操作パネル１の庇部１ｂは、Ｌ字パネル１７の前後延在部１７ｂの上方に位置している。また傾斜姿勢において、操作パネル１の庇部１ｂは、前後延在部１７ｂの前端よりも本体部２１側へ延びている。また傾斜姿勢において、操作パネル１の庇部１ｂは、Ｌ字パネル１７の上方突出部１７ｃの上方を覆っている。これによりパネル本体１ａとＬ字パネル１７との間の隙間２１ｂ（第２隙間）の上方は庇部１ｂにより覆われている。
【００８０】
傾斜姿勢において、庇部１ｂは、上方突出部１７ｃと上下延在部１７ａとの間の隙間１７ｄ（前後延在部１７ｂの上面の凹部）上に延びていてもよい。傾斜姿勢において庇部１ｂと上下延在部１７ａとの間には隙間２１ａ（第３隙間）がある。
【００８１】
この傾斜姿勢からユーザーが操作パネル１の下端部を後方に向かって押し込むことにより、操作パネル１を傾斜姿勢から起立姿勢へ移行させることができる。この場合、下部支持体２ｂはレール１２に沿って後方へスライド移動し、上部支持体２ａはガイド穴１１ａに沿って上方へスライド移動する。
【００８２】
上部支持体２ａが上方へ移動することにより、上部支持体２ａとスイッチ１５の操作部１５ｂとの当接状態が解除され、操作部１５ｂが本体部１５ａに押し込まれた状態が解除される。これにより操作パネル１における操作表示がオン状態からオフ状態へ切り替わる。
【００８３】
操作パネル１における操作表示がオフになると、操作表示が消灯し、操作を受け付けない状態となる。この状態でユーザーが操作パネルを操作しても加熱調理器３０を操作することはできない。
【００８４】
操作パネル１の下端部を後方へ押し込み続けると、最終的には爪部８が爪係合部１４内に挿入され、爪係合部１４と係合しロックされる。これにより操作パネル１は起立姿勢で維持される。
【００８５】
＜変形例＞
上記においてはＬ字パネル１７が上下延在部１７ａ、前後延在部１７ｂおよび上方突出部１７ｃからなる構成について説明したが、Ｌ字パネル１７は上方突出部１７ｃを有していなくてもよい。
【００８６】
図７（Ａ）に示されるように、Ｌ字パネル１７が上方突出部１７ｃを有しておらず、前後延在部１７ｂが上下延在部１７ａに対して鋭角をなすように延びていてもよい。この構成においては前後延在部１７ｂは前後延在部１７ｂの前端に向かうほど高くなる上り勾配を有している。この構成においては、前後延在部１７ｂと上下延在部１７ａとにより、断面形状においてたとえばＶ字形状を有する凹部１７ｄが構成されている。
【００８７】
図７（Ｂ）に示されるように、Ｌ字パネル１７が上方突出部１７ｃを有しておらず、前後延在部１７ｂの上面に凹部１７ｄが設けられていてもよい。
【００８８】
図７（Ａ）および図７（Ｂ）のいずれの構成においても、操作パネルの傾斜姿勢では操作パネル１の庇部１ｂは、前後延在部１７ｂの前端よりも本体部２１側（後方側）まで延びている。また図７（Ａ）および図７（Ｂ）のいずれの構成においても、庇部１ｂは、傾斜姿勢では前後延在部１７ｂの前端と操作パネル１のパネル本体１ａとの間の隙間２１ｂの上方を覆っている。
【００８９】
また図４においてはＬ字パネル１７の上方突出部１７ｃと上下延在部１７ａとの間の隙間１７ｄ（前後延在部１７ｂの上面の凹部）が加熱調理器３０の横方向（幅方向）に傾斜せずに延びる構成について説明したが、図８に示されるように隙間１７ｄ（凹部）は傾斜していてもよい。ここで隙間１７ｄ（凹部）が傾斜しているとは、加熱調理器３０が水平な面上に載置された状態において、水平線に対して傾斜していることを意味する。
【００９０】
図８に示されるように、隙間１７ｄ（凹部）は、加熱調理器３０の本体部２１の側端２１Ｓに向かって下るように傾斜している。つまり隙間１７ｄ（凹部）は、加熱調理器３０の本体部２１の側端２１Ｓに向かって下る下り勾配を有している。
【００９１】
また隙間１７ｄ（凹部）は、グリル加熱部２１Ｇから横方向（幅方向）へ遠ざかるほどに下るように傾斜している。つまり隙間１７ｄ（凹部）は、グリル加熱部２１Ｇから横方向（幅方向）へ遠ざかるほどに下る下り勾配を有している。
【００９２】
図９に示されるように、この構成においては上方突出部１７ｃの上方への突出高さは、本体部２１の側端２１Ｓに向かうほどに高くなっていてもよい。つまり前後延在部１７ｂの上面に設けられた隙間１７ｄ（凹部）の深さは、本体部２１の側端２１Ｓに向かうほどに深くなっていてもよい。また上方突出部１７ｃの上方への突出高さは、グリル加熱部２１Ｇから横方向（幅方向）へ遠ざかるほどに高くなっていてもよい。つまり前後延在部１７ｂの上面に設けられた隙間１７ｄ（凹部）の深さは、グリル加熱部２１Ｇから横方向（幅方向）へ遠ざかるほどに深くなっていてもよい。なお上方突出部１７ｃの上方への突出高さは、横方向（幅方向）の全体において一定であってもよい。
【００９３】
＜本実施の形態の効果＞
図６において、仮に液状異物が操作パネル１のパネル本体１ａと前後延在部１７ｂの前端との間の隙間２１ｂに流れ込むと、液状異物がパネル本体１ａの後面に配置された電気回路、配線などに接することにより電気的短絡などを生じるおそれがある。
【００９４】
これに対して本実施の形態によれば図６に示されるように、操作パネル１の傾斜姿勢において庇部１ｂは前後延在部１７ｂの上方に位置し、かつ前後延在部１７ｂの前端よりも本体部２１側（後方側）まで延びている。このため、加熱調理器３０における調理中に生じた液状異物が庇部１ｂに遮られることによって操作パネル１と前後延在部１７ｂの前端との間の隙間１２ｂに流れ込むことが防止される。これにより加熱調理器３０の内部に液状異物が流れ込みにくくなる。
【００９５】
また本実施の形態によれば図６に示されるように、加熱調理器３０は、前後延在部１７ｂの前端から上方へ延びる上方突出部１７ｃをさらに有している。操作パネル１の傾斜姿勢において庇部１ｂは、上方突出部１７ｃの上方を覆っている。これにより液状異物は上方突出部１７ｃよりも後方の前後延在部１７ｂ上に流れ落ちやすくなる。前後延在部１７ｂ上に流れ落ちた液状異物は上方突出部１７ｃに阻まれることにより前後延在部１７ｃの前端と操作パネル１との間の隙間２１ｂに流れ込むことが阻害される。
【００９６】
また本実施の形態によれば図６、図７（Ａ）、（Ｂ）に示されるように、前後延在部１７ｂの上面に凹部１７ｄが設けられている。これにより前後延在部１７ｂ上に流れ落ちた液状異物が凹部１７ｄ内に入ることにより前後延在部１７ｂの前端と操作パネル１との間の隙間２１ｂに流れ込むことが阻害される。
【００９７】
また本実施の形態によれば図８に示されるように、前後延在部１７ｂの上面に設けられた凹部１７ｄは本体部２１の側端に向かって下るように傾斜している。これにより凹部１７ｄに入った液状異物は、凹部１７ｄに沿って本体部２１の側端２１Ｓに導かれて、側端２１Ｓから排出されやすくなる。
【００９８】
また本実施の形態によれば図８に示されるように、本体部２１は、操作パネル１の横に配置されたグリル加熱部２１Ｇを有している。凹部１７ｄはグリル加熱部２１Ｇから遠ざかるほどに下るように傾斜している。これにより凹部１７ｄに入った液状異物はグリル加熱部２１Ｇとは反対側に導かれるため、液状異物がグリル加熱部２１Ｇを汚すことが抑制される。
【００９９】
また本実施の形態によれば図１に示されるように、操作パネル１は、傾斜姿勢の傾斜角度θ２よりも大きい傾斜角度θ１を有する起立姿勢に傾斜姿勢から移動することができるように構成されている。これにより操作パネル１は傾斜姿勢と起立姿勢との間で移動することができ、図２に示される傾斜姿勢においてはユーザが操作パネル１を視認、操作しやすく、図１に示される起立姿勢においては加熱調理器３０がコンパクトな状態となる。
【０１００】
なお上記の実施の形態においては加熱調理器３０の一例としてガスこんろについて説明したが、本発明の加熱調理器３０は加熱コイルにより誘導加熱するＩＨ（Induction  Heating）クッキングヒーターのような電磁調理器であってもよい。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０２】
１  操作パネル、１Ｌ  下端、１Ｕ  上端、１ａ  パネル本体、１ｂ  庇部、２  支持部材、２ａ  上部支持体、２ｂ  下部支持体、２ｃ  取り付け部、３，４  軸、５  軸支持部、６  スライド部材、７  ラックギア、８  爪部、９  側板、１１  支持板、１１ａ  ガイド穴、１１ａａ  第１ガイド穴部、１１ａｂ  第２ガイド穴部、１２  レール、１２ｂ，１７ｄ，２１ａ，２１ｂ  隙間、１３  ロータリーダンパ、１４  爪係合部、１５  スイッチ、１５ａ，２１  本体部、１５ｂ  操作部、１６  付勢部材、１７  Ｌ字パネル、１７ａ  上下延在部、１７ｂ  前後延在部、１７ｃ  上方突出部、１７ｄ  凹部、２１Ｆ  前面、２１Ｇ  グリル加熱部、２１Ｓ  側端、２１Ｔ  上面、２２  加熱部、３０  加熱調理器、ＯＵ  操作パネル駆動ユニット。
【図１】
2020180738.tif 000003
【図２】
2020180738.tif 000004
【図３】
2020180738.tif 000005
【図４】
2020180738.tif 000006
【図５】
2020180738.tif 000007
【図６】
2020180738.tif 000008
【図７】
2020180738.tif 000009
【図８】
2020180738.tif 000010
【図９】
2020180738.tif 000011